(57)【要約】【課題】  従来の墜落防止装置のベルト巻取機には、大きな荷重が加わったことを確認する機能・構造等を有するものは無かった。よって、数回落下荷重が加わって、最悪ベルト巻取機の機能を果たさずベルトが引出されて落下するか、ベルトの切断ということが考えられるものであった。【解決手段】  リング１を対向配置し、該リング１，１を軸により回動自在に連結する回動金具２において、軸穴３に、ボルト４と筒状ナット５より形成した軸６を貫通配置し、該ボルト４と筒状ナット５間に、穴の内側に突出片７を設けたワッシャ８の突出片７を挟持してリング１，１を摺接配置し、所定荷重が加わりワッシャ８の突出片７が剪断し、対向するリング１，１が離れて隙間を生じることにより確認できる負荷表示機能を備えた構造の回動金具を墜落防止装置のベルト巻取機に設けるものである。【選択図】        図１
2006214149.tif 000002
【特許請求の範囲】
【請求項１】
リング１を対向配置し、該リング１，１を軸により回動自在に連結する回動金具２において、軸穴３に、ボルト４と筒状ナット５より形成した軸６を貫通配置し、該ボルト４と筒状ナット５間に、穴の内側に突出片７を設けたワッシャ８の突出片７を挟持してリング１，１を摺接配置し、所定荷重が加わりワッシャ８の突出片７が剪断し、対向するリング１が離れて隙間を生じることにより確認できる負荷表示機能を備えたことを特徴とする回動金具。
【請求項２】
リング１を対向配置し、該リング１，１を軸により回動自在に連結する回動金具２において、軸穴３に、ボルト４と筒状ナット５より形成した軸６を貫通配置し、該ボルト４と筒状ナット５間に、一方のリング軸穴３の内側に突出片７を設け、該突出片７を挟持してリング１，１を摺接配置し、所定荷重が加わり突出片７が剪断し、対向するリング１が離れて隙間を生じることにより確認できる負荷表示機能を備えたことを特徴とする回動金具。
【請求項３】
上記回動金具２の軸６部の周囲に着色９し、所定荷重が加わりワッシャ８の突出片７が剪断し、対向するリング１，１が離れた時、その隙間より着色９部分が見えることにより確認できる負荷表示機能を備えたことを特徴とする請求項１、２に記載の回動金具。
【発明の詳細な説明】
【技術分野】
【０００１】
本願は、高所作業者が墜落防止のために使用するベルト巻取機に取付ける負荷表示機能を備えた回動金具に関するものである。
【背景技術】
【０００２】
以前より安全帯や各種の墜落防止器具については、墜落阻止等で大きな荷重が加わったものについては、再使用を禁止している。
個人所有の安全帯・墜落防止器具に大きな荷重が加われば、リング等が変形し、確認できると共に、再使用しないように処置ができるのであるが、
最近、特開２００４−９７５６２号公報で開示した中継給油所でタンクローリー上での給油・点検作業をする際、設置されている墜落防止装置がある。
この墜落防止装置は、天井部にガイド溝を配した水平レールＲを取付け、このレールＲ内を自在に移動する移動部材Ｈの環部に、遠心クラッチ機構を内蔵し、所定長のベルトＢを引出し、収納自在としたベルト巻取機Ｍを連結し、ベルト先端部の係止具と作業者の安全帯と連結するものであり、作業者の移動に追随して移動し、万が一落下したならばベルトが急激に引っ張られることでドラムが回転し、その回転によって爪が開きラチェット歯に掛止してドラムの回転を停止し、ベルトの引出しを停止するものであり、最小限の落下距離で停止することができるものである。
ところが、このような場所に設置された墜落防止装置は、不特定多数の作業者が使用するため、落下して大きな荷重が加わっても作業者の申告漏れや時間的に対処が遅れ、その間に数回落下荷重が加わって、最悪ベルト巻取機の機能を果たさずベルトが引出されて落下するか、ベルトの切断ということが考えられるものであった。
【０００３】
よって、安全帯側には、特願２００４−１００３１２号で開示したようなテンション部材が切断して大きな荷重が加わったことが確認できるようにしたのであるが、当然墜落防止装置側にも大きい荷重が加わっているものであり、その大きな荷重が加わったことが容易に確認できる負荷表示機能を有することが求められてきた。
【特許文献１】特開２００４−９７５６２号公報
【特許文献２】特願２００４−１００３１２号
【発明の開示】
【発明が解決しようとする課題】
【０００４】
前記した中継給油所に設置された墜落防止装置には、大きな荷重が加わったことが確認できるような構造・機能を備えていなかった。
よって、作業者が知らずして使用し、最悪ベルト巻取機の機能を果たさずベルトが引出されて落下するか、ベルトの切断ということが考えられるものであった。
前記した墜落防止装置に大きな荷重が加わって何らかの変形・損傷を受けるところと言えば、ベルト巻取機であり、特にベルトにかかる負担が大きい。
ベルトは絶えず引出しと収納を繰り返しており、荷重だけでなくベルト巻取機の開口部に設けたローラーと、開口部に摺接し、摩擦によるベルト表面の劣化・紫外線劣化も当然あるので、ベルトの管理が一番重要である。
【課題を解決するための手段】
【０００５】
よって本願では、ベルトの管理・点検場所として一番よいベルト先端部に負荷表示機能を備えた回動金具を設けるものである。
具体的には、リング１を対向配置し、該リング１，１の軸穴３に、ボルト４と筒状ナット５より形成した軸６を貫通配置し、該ボルト４と筒状ナット５間に、穴の内側に突出片７を設けたワッシャ８の突出片７を挟持してリング１，１を摺接配置した構造の回動金具２であり、リング１，１に所定荷重が加わることによりワッシャ８の突出片７が剪断し、対向するリング１，１が離れて隙間を生じることにより確認できる負荷表示機能を備えたものである。また、軸６部に着色９して、隙間より見えることによりさらに確実に確認できるようにしたものである。
【発明の効果】
【０００６】
以上のように、本願回動金具を設けることにより、大きな荷重が加わったことが容易に確認でき、墜落防止装置の再使用を未然に防止することができる。
よって、万が一の墜落による重大事故を防止することができる。
また、作動時に部品の飛散・脱落がなく、タンク内の製品への混入がなく安心して使用することができる。
また、回動金具の形状に大きな変化を要せず、コンパクトな形状で負荷したことが確認できる。
【実施例】
【０００７】
本願の実施例を詳記すると、
請求項１は、リング１を対向配置し、該リング１，１を軸により回動自在に連結する回動金具２において、軸穴３に、ボルト４と筒状ナット５より形成した軸６を貫通配置し、該ボルト４と筒状ナット５間に、穴の内側に突出片７を設けたワッシャ８の突出片７を挟持してリング１，１を摺接配置し、所定荷重が加わりワッシャ８の突出片７が剪断し、対向するリング１，１が離れて隙間を生じることにより確認できる負荷表示機能を備えた構造である。
【０００８】
請求項２は、リング１を対向配置し、該リング１，１を軸により回動自在に連結する回動金具２において、軸穴３に、ボルト４と筒状ナット５より形成した軸６を貫通配置し、該ボルト４と筒状ナット５間に、一方のリング軸穴３の内側に突出片７を設け、該突出片７を挟持してリング１，１を摺接配置し、所定荷重が加わり突出片７が剪断し、対向するリング１が離れて隙間を生じることにより確認できる負荷表示機能を備えた構造である。
請求項２は、請求項１のワッシャ８の代わりに直接リング１の軸穴３に突出片７を設けたもので部品点数を減らしたものである。
【０００９】
請求項３は、前記した請求項１，２の軸６部の周囲に着色９し、所定荷重が加わりワッシャ８の突出片７が剪断し、対向するリング１，１が離れた時、その隙間より着色９部分が見えることにより確実に確認できる負荷表示機能を備えた構造を有するものである。
なお、上記ボルト４とナット５より形成した軸６とワッシャ８は、りん青銅で製作し、金具との接触による火花の発生を防止したものであり、可燃物積載所での使用に適合したものである。
【００１０】
ワッシャ８は、図６に示すように突出片７を一対内側に設けており、この突出片７の大きさ・厚さにより衝撃荷重の設定を簡単に行うことができる。
なお、大きな荷重が加わり剪断した場合には、突出片７は、ボルト４とナット５で挟んでいるのと、リング１の軸穴３内に落ち込むので飛散や脱落がない。また、ワッシャ８部分は、軸６部に挿通した状態となり外れることはないものである。
【００１１】
本願回動金具を図８に示すように、ベルト巻取機ＭのベルトＢ先端部に設け、他方のリング１にカラビナＫを嵌合するものであり、カラビナＫを作業者が装着する安全帯のリングに係止し、タンクローリー上での給油・点検作業を行うものである。
【００１２】
図９に示すものは、本願回動金具の構造を安全帯用フックの環部に用いたもので、本願と同じくリング１に大きな荷重が加わると、ワッシャ８の突出片７が剪断し、フック本体部とリングに隙間が発生して、確認できるものである。
【図面の簡単な説明】
【００１３】
【図１】本願回動金具の一部切欠したところの斜視図。
【図２】本願回動金具の分解斜視図。
【図３】本願回動金具の断面図。
【図４】本願回動金具の作動時の断面図。
【図５】本願回動金具の軸部を着色した場合の作動時の断面図。
【図６】本願回動金具のワッシャの正面図。
【図７】本願請求項２の回動金具の断面図。
【図８】本願回動金具をベルト巻取機のベルト先端部にセットした正面図。
【図９】本願回動金具をフックに設けた一部切欠した一部正面図。
【符号の説明】
【００１４】
１  リング
２  回動金具
３  軸穴
４  ボルト
５  筒状ナット
６  軸
７  突出片
８  ワッシャ
９  着色
10  フック本体部
Ｂ  ベルト
Ｈ  移動部材
Ｍ  ベルト巻取機
Ｒ  レール
【図１】
2006214149.tif 000003
【図２】
2006214149.tif 000004
【図３】
2006214149.tif 000005
【図４】
2006214149.tif 000006
【図５】
2006214149.tif 000007
【図６】
2006214149.tif 000008
【図７】
2006214149.tif 000009
【図８】
2006214149.tif 000010
【図９】
2006214149.tif 000011